(57)【要約】【課題】調整腕部が突出してスペースを大きくとったり、調整後に調整操作突起を折り曲げるショックで視野枠が動いてしまうことを防止するため、回動操作により視野枠部材の位置を変更すると共に回動停止により視野枠部材の位置を固定する調整部材を用い、容易な操作で調整を行う。【解決手段】対物レンズ系３２と、該対物レンズ系３２により被写体の像が結ばれる焦点面３４と、焦点面３４に結ばれた像を拡大する接眼レンズ系３６と、焦点面の視野を規制する視野枠３８が形成された視野枠部材４０と、これらを保持するファインダ筐体４２とを備える実像式ファインダ機構３０において、視野枠部材４０をファインダ筐体４２に対して焦点面に沿った方向に移動可能に支持する支持手段４４、４６と、ファインダ筐体４２に対して回動可能に設けられて回動により視野枠部材４０の位置を変更すると共に回動停止により視野枠部材４０の位置を固定する調整部材４８とを備えるようにしている。【選択図】        図１
2004240180.tif 000002
【特許請求の範囲】
【請求項１】
対物レンズ系と、該対物レンズ系により被写体の像が結ばれる焦点面における結像を拡大する接眼レンズ系と、前記焦点面の視野を規制する視野枠が形成された視野枠部材と、これらを保持するファインダ筐体とを備える実像式ファインダ機構において、
前記視野枠部材を前記ファインダ筐体に対して前記焦点面に沿った方向に移動可能に支持する支持手段と、前記ファインダ筐体に対して回動可能に設けられて回動により前記視野枠部材の位置を変更して、前記視野枠部材の位置を調整する調整部材とを備えたことを特徴とする実像式ファインダ機構。
【請求項２】
前記調整部材は、前記ファインダ筐体に対して回動可能に支持されると共に前記ファインダ筐体の外部に露呈する主軸と、該主軸の回動中心から偏心した位置に設けられると共に前記視野枠部材に係合して該視野枠部材を移動させる偏心軸とを備え、前記視野枠部材は前記偏心軸が係合する係合部を有することを特徴とする請求項１に記載の実像式ファインダ機構。
【請求項３】
前記視野枠部材は上下方向に移動可能であることを特徴とする請求項１から４までのいずれか記載の実像式ファインダ機構。
【請求項４】
前記視野枠部材は左右方向に移動可能であることを特徴とする請求項１から４までのいずれか記載の実像式ファインダ機構。
【発明の詳細な説明】
【０００１】
【発明の属する技術分野】
この発明は、カメラに搭載される実像式ファインダ機構に関し、特に、視野枠の位置を調整可能とした実像式ファインダ機構に関する。
【０００２】
【従来の技術】
撮影光学系の他にファインダ光学系が別個に設けられたレンズシャッターカメラやデジタルカメラの普及により、写真撮影をより手軽に楽しむことができるようになった。この種のカメラでは、撮影光学系とファインダ光学系との間に生じる空間的なパララックスを調整する必要があり、そのためにカメラの組立時に視野枠位置を調整することを要する。
【０００３】
ファインダの視野枠位置の調整機構としては、図５に示すように視野枠１が形成された視野枠調整部材２の一側部に調整腕部４を形成したものがある（特許文献１参照）。この調整機構では、調整腕部４をファインダ鏡胴６の外側に出した状態で摺動させることにより、視野枠調整部材２を移動させて視野枠１の位置を調整することができる。なお、図中符号８は対物レンズ系、符号１０は接眼レンズ系を示す。
【０００４】
また、ファインダの視野枠位置の調整機構としては、図６に示すように視野枠１２が蒸着されたアイピース１４の左右両側に調整操作突起１６を形成したものがある（特許文献２参照）。この調整機構では、アイピース１４をレンズ保持枠１８に取り付けるときは、レンズ保持枠１８の貫通溝２０に調整操作突起１６の細い橋絡部２２を差し込んで視野枠１２の位置調整をする。調整後、アイピース１４をレンズ保持枠１８に接着剤で固定する。そして、左右の調整操作突起１６を橋絡部２２で折り曲げて切断して取り去る。なお、図６に示すファインダ２４は、逆ガリレオ式ファインダであり、２枚のレンズ２６を備えている。
【０００５】
【特許文献１】
特開平１１−２８２０５２号
【特許文献２】
特開平１０−２８８８０４号
【０００６】
【発明が解決しようとする課題】
しかしながら、視野枠調整部材２の一側部に調整腕部４を形成した、特許文献１に記載された視野枠位置の調整機構では、調整腕部４がファインダ鏡胴６の外側に突出した状態のままとなるので、ファインダ全体として必要なスペースが大きくなってしまう。このため、カメラの小型軽量化の妨げになってしまう。
【０００７】
また、特許文献２に記載された、アイピース１４の両側の調整操作突起１６を調整後に切断する視野枠位置の調整機構では、調整操作突起１６を折り曲げて切断しなければならないので、切断時にアイピース１４に衝撃を与えて視野枠１２がずれてしまうおそれがあり、調整されたパララックスに狂いが生じるおそれがある。
【０００８】
そこで、本発明は、小さいスペースに収まり、尚かつ調整後にずれてしまうことのない実像式ファインダ機構を提供することを目的としている。
【０００９】
【課題を解決するための手段】
前記の目的を達成するための技術的手段として、この発明に係る実像式ファインダ機構は、対物レンズ系と、該対物レンズ系により被写体の像が結ばれる焦点面における結像を拡大する接眼レンズ系と、前記焦点面の視野を規制する視野枠が形成された視野枠部材と、これらを保持するファインダ筐体とを備える実像式ファインダ機構において、前記視野枠部材を前記ファインダ筐体に対して焦点面に沿った方向に移動可能に支持する支持手段と、前記ファインダ筐体に対して回動可能に設けられて回動により前記視野枠部材の位置を変更して、前記視野枠部材の位置を調整する調整部材とを備えたことを特徴としている。
【００１０】
すなわち、視野枠位置の調整時には、調整部材を回動させることにより視野枠部材が支持手段に支持された状態で移動する。そして、視野枠部材が適切な位置に位置した状態で調整部材を停止させる。この状態で、視野枠部材の位置が適切な位置で固定される。
【００１１】
また、請求項２の発明に係る実像式ファインダ機構は、前記調整部材は、前記ファインダ筐体に対して回動可能に支持されると共に前記ファインダ筐体の外部に露呈する主軸と、該主軸の回動中心から偏心した位置に設けられると共に前記視野枠部材に係合して該視野枠部材を移動させる偏心軸とを備え、前記視野枠部材は前記偏心軸が係合する係合部を有することを特徴としている。
【００１２】
すなわち、主軸を回動させることにより、偏心軸が該主軸の回動軸を中心として旋回する、いわゆる偏心ピンを用いるものである。前記偏心軸の旋回により、該偏心軸が係合する視野枠部材が移動することになる。
【００１３】
また、請求項３の発明に係る実像式ファインダ機構は、前記視野枠部材は上下方向に移動可能であることを特徴としている。
【００１４】
すなわち、画面の縦方向のパララックス調整が行われる。
【００１５】
また、請求項４の発明に係る実像式ファインダ機構は、前記視野枠部材は左右方向に移動可能であることを特徴としている。
【００１６】
すなわち、画面の横方向のパララックス調整が行われる。
【００１７】
【発明の実施の形態】
以下、図示した好ましい実施の形態の一例に基づいて、この発明に係る実像式ファインダ機構を具体的に説明する。
【００１８】
図１から図４に、この発明に係る実像式ファインダ機構３０の実施形態を示す。本実施形態では、この実像式ファインダ機構３０がレンズシャッターカメラやデジタルカメラに搭載されたものについて示している。この実像式ファインダ機構３０は、主として、対物レンズ系３２と、該対物レンズ系３２により被写体の像が結ばれる焦点面３４と、該焦点面３４上の結像を拡大する接眼レンズ系３６と、焦点面の視野を規制する視野枠３８が形成された視野枠部材４０と、これらを保持するファインダ筐体４２とから構成されている。そして、この実像式ファインダ機構３０では、前記視野枠部材４０をファインダ筐体４２に対して焦点面に沿った方向に移動可能に支持する支持手段４４、４６と、ファインダ筐体４２に対して回動可能に支持され、この回動により視野枠部材４０の位置を変更し、所望の位置で該視野枠部材４０を固定する調整部材４８とが具備されている。
【００１９】
前記調整部材４８は、ファインダ筐体４２に対して、前記対物レンズ系の３２の光軸と平行な方向を軸として回動可能に支持されると共に、ファインダ筐体４２の外部に露呈させた主軸５０と、該主軸５０の回動中心から偏心した位置に設けられると共に、視野枠部材４０に係合してこれを移動および固定する偏心軸５２とを備えている。すなわち、この調整部材４８は、主軸５０の回動によって偏心軸５２が旋回するいわゆる偏心ピンとされている。主軸５０は、ファインダ筐体４２に対して遊挿され、ファインダ筐体４２の背面に露呈した露呈面には凹溝部５４が形成されている。
【００２０】
視野枠部材４０は、図４に示すように、透孔により形成された視野枠３８を備えた視野枠板５６と、焦点面３４を含む視野枠板５６を支持する視野枠ベース５８と、前記偏心軸５２が係合する係合部６０とを備えている。また、視野枠板５６の角部のうちの３カ所には係合孔６２が形成されており、視野枠ベース５８には該係合孔６２に貫通して支持する係合ボス６４が突設されている。なお、係合孔６２のうちの中央の一つは長孔によって形成されて、視野枠板５６を視野枠ベース５８に容易に取り付けられるようにしてある。
【００２１】
前記支持手段４４、４６は視野枠部材４０の移動方向に沿った両辺に連繋するようにしてある。他方、視野枠部材４０は移動方向と平行に突出したガイドボス部６６が設けられており、支持手段４４はこのガイドボス部６６が摺動可能に嵌合されるガイド孔によって構成されている。ガイドボス部６６は円柱状に、視野枠ベース５８の上下方向を指向した辺に沿って形成されている。このガイドボス部６６の中央部に前記係合部６０が形成されている。また、前記支持手段４４のガイド孔は上下方向を長手方向として形成されており、したがって、視野枠部材４０は上下方向に移動可能に支持されている。
【００２２】
また、視野枠部材４０のガイドボス部６６が形成された辺と反対側の辺は、ファインダ筐体４２に形成された支持手段４６に連繋しており、この支持手段４６はガイド溝で構成されて、前記反対側の辺を適宜な遊びを持って挟持するようにしてある。
【００２３】
前記対物レンズ系３２は、対物レンズ６８と、第１移動レンズ７０、第２移動レンズ７２、これら各レンズ６８、７０、７２を光軸に沿って案内するガイド軸７４、各レンズ６８、７０、７２の回動を防止する振れ止め軸７６とを具備している。また、これら各レンズ６８、７０、７２には、これら各レンズ６８、７０、７２を移動させるためのレンズ駆動機構（図示せず）に連繋させてある。なお、これら各レンズ６８、７０、７２はフレネルレンズであることが好ましい。
【００２４】
接眼レンズ系３６は、接眼レンズ７８と接眼窓８０とから構成されている。接眼レンズ７８には視度調整機構８２が具備されている。この視度調整機構８２は、調整つまみ８４を操作することにより接眼レンズ７８の位置を光軸に沿って移動させて、撮影者の視度に合わせることができるようにしてある。なお、この視度調整機構８２としては周知の機構からなるものを使用することができる。
【００２５】
対物レンズ系３２と接眼レンズ系３６との間に、プリズム８６、８８が配されており、これらプリズム８６、８８によって光軸が折曲されている。そして、前記視野枠部材４０は、これらプリズム８６、８８の間に配置されている。なお、プリズム８８にはダハプリズムが用いられて、焦点面上の倒立像を正立像に変更している。
【００２６】
以上により構成されたこの発明の実施形態に係る実像式ファインダ機構３０の作用を、以下に説明する。
【００２７】
カメラの組立時に視野枠位置を調整する。この調整は、調整部材４８の主軸５０に形成された前記凹溝部５４にドライバー等の適宜な工具を挿入し、該工具を回動させることにより行う。すなわち、工具の回動によって主軸５０が回動し、前記偏心軸５２が該主軸５０の回動軸を中心として旋回するから、偏心軸５２に係合した係合部６０が押動され、視野枠部材４０が上下方向に移動する。
【００２８】
視野枠部材４０の移動により該視野枠部材４０が適切な高さ位置に、すなわちパララックスが最も小さくなる高さ位置に位置したならば、調整部材４８の回動を停止する。なお、このとき主軸５０はファインダ筐体４２との摩擦により、容易に回動しない程度の嵌め合いにより、該主軸５０がファインダ筐体４２に遊挿してある。そして、視野枠板４０の位置が定められたならば、接着剤等を用いて、主軸５０をファインダ筐体４２に接着する。
【００２９】
なお、前記調整部材４８の主軸５０はファインダ筐体４２に対して摩擦力によって不用意に回動しない程度の嵌め合いにで遊挿されているから、調整部材４８とファインダ筐体４２との隙間から埃やゴミなどが入ることを防止できる。
【００３０】
この実施形態では、視野枠部材４０が上下方向に移動可能とされているので、画面の縦方向のパララックス調整を行うことができる。このため、被写体が例えば人物の場合に、撮影された写真での頭切れや足切れを防止することができる。
【００３１】
さらに、支持手段４４、４６は視野枠部材４０の移動方向に沿った両辺、すなわち上下方向の辺を保持するようにしてある。このため、視野枠部材４０は移動方向に沿った両辺で保持され、安定して移動させることができ、光軸方向にずれたり斜めに傾いてしまうことなく上下方向に平行に移動させることができる。
【００３２】
なお、以上に説明した実施形態は本発明の好ましい一形態であって、本発明はこれに限定されるものではなく、要旨を逸脱しない範囲において種々変形して実施できることは勿論である。例えば上述した実施形態では、視野枠部材４０は上下方向に移動可能であるようにしているが、これには限られず視野枠部材４０は左右方向に移動可能であるようにしても良い。この場合、画面の横方向のパララックス調整を行うことができる。
【００３３】
【発明の効果】
以上説明したように、請求項１の発明に係る実像式ファインダ機構によれば、ファインダ筐体に対して回動可能に設けられてその回動により視野枠部材の位置を変更する調整部材を備えているので、該調整部材を回動させるという簡単な操作でパララックス調整を行うことができる。
【００３４】
また、従来の調整腕部のようにファインダ筐体の外部に大きく突出する部材が無いので、ファインダの小型化を図ることができる。しかも、従来のように調整操作突起を折曲等することにより除去する必要がなく、調整及びその後の作業で衝撃を生ずることがないので、高精度な調整を実現できる。
【００３５】
また、請求項２の発明に係る実像式ファインダ機構によれば、調整部材をいわゆる偏心ピンによって構成したので、その偏心軸が係合する視野枠部材を容易に移動させて、所望の位置で容易に固定することができる。したがって、調整作業を簡便に行うことができる。
【００３６】
また、請求項３の発明に係るズームレンズ装置によれば、視野枠部材が上下方向に移動可能とされているので、画面の縦方向のパララックス調整を行うことができる。このため、特に人物写真のときに頭切れなどを防止することができる。
【００３７】
また、請求項４の発明に係るズームレンズ装置によれば、視野枠部材が左右方向に移動可能とされているので、画面の横方向のパララックス調整を行うことができる。
【図面の簡単な説明】
【図１】この発明に係る実像式ファインダ機構を示す概略斜視図である。
【図２】ファインダ筐体を取り外した状態の実像式ファインダ機構を示す概略斜視図である。
【図３】実像式ファインダ機構を示す他の方向から見た概略斜視図である。
【図４】視野枠部材を示す概略斜視図である。
【図５】従来の実像式ファインダ機構を示す縦断面側面図である。
【図６】従来のファインダ機構を示す分解斜視図である。
【符号の説明】
３０  実像式ファインダ機構
３２  対物レンズ系
３４  焦点板
３６  接眼レンズ系
３８  視野枠
４０  視野枠部材
４２  ファインダ筐体
４４  ガイド孔（支持手段）
４６  ガイド溝（支持手段）
４８  調整部材
【図１】
2004240180.tif 000003
【図２】
2004240180.tif 000004
【図３】
2004240180.tif 000005
【図４】
2004240180.tif 000006
【図５】
2004240180.tif 000007
【図６】
2004240180.tif 000008